(57)【要約】【課題】加熱温度が低い場合にも、毛髪にカールを付けることができるヘアーアイロンを提供する。【解決手段】ヘアーアイロン１は、軸１２と、軸１２に設けられたハンドル部と、ヒートプレート３０から突出する複数のブラシピン４２と、毛髪に接触して毛髪を加熱する加熱部３０ｃと、毛髪に赤外線を照射する照射部５０とを備える。【選択図】図３
2018029815.tif 000002
【特許請求の範囲】
【請求項１】
筒状部材と、
前記筒状部材に設けられたハンドル部と、
前記筒状部材から突出する複数のブラシピンと、
毛髪に接触して前記毛髪を加熱する加熱部と、
前記毛髪に赤外線を照射する照射部と
を備えるヘアーアイロン。
【請求項２】
前記複数のブラシピンは、前記筒状部材の長さ方向に延びるように形成された複数の列に沿って設けられ、
前記照射部は、前記長さ方向に延びる板状の形状を有し、前記複数の列のうち隣り合う少なくとも１組の列の間に設けられる
請求項１に記載のヘアーアイロン。
【請求項３】
前記加熱部は、前記複数の列の間に少なくとも１つずつ設けられ、
前記複数の列のうち隣り合う１組の列の間には、２つの加熱部が設けられ、
前記照射部は、前記２つの加熱部の間に設けられる
請求項２に記載のヘアーアイロン。
【請求項４】
前記照射部は、前記赤外線を照射する赤外線ＬＥＤ（light emitting diode）を有する
請求項１から３のいずれか１項に記載のヘアーアイロン。
【請求項５】
前記照射部は、可視光を照射する光源を有する
請求項１から４のいずれか１項に記載のヘアーアイロン。
【請求項６】
前記加熱部は、セラミックで形成され、熱源により加熱されることにより赤外線を放射する
請求項１から５のいずれか１項に記載のヘアーアイロン。
【発明の詳細な説明】
【技術分野】
【０００１】
本発明は、ヘアーアイロンに関する。
【背景技術】
【０００２】
毛髪を加熱してカールを付けるヘアーアイロンが知られている。例えば特許文献１には、発熱したヒートプレートを毛髪に接触させることにより、毛髪にカールを付けるくし付きヘアーアイロンが開示されている。
【先行技術文献】
【特許文献】
【０００３】
【特許文献１】特開２０１４−６１２５７号公報
【発明の概要】
【発明が解決しようとする課題】
【０００４】
特許文献１に記載のヘアーアイロンのように、毛髪を加熱してカールを付ける場合には、加熱温度が高いと毛髪が傷むことがある。毛髪の傷みを少なくするには、毛髪を低温で加熱するのが好ましい。しかし、毛髪を低温で加熱した場合には、毛髪にカールを付けるのが難しい。
本発明は、加熱温度が低い場合でも、毛髪にカールを付けることができるヘアーアイロンを提供することを目的とする。
【課題を解決するための手段】
【０００５】
本発明は、筒状部材と、前記筒状部材に設けられたハンドル部と、前記筒状部材から突出する複数のブラシピンと、毛髪に接触して前記毛髪を加熱する加熱部と、前記毛髪に赤外線を照射する照射部とを備えるヘアーアイロンを提供する。
【０００６】
前記複数のブラシピンは、前記筒状部材の長さ方向に延びるように形成された複数の列に沿って設けられ、前記照射部は、前記長さ方向に延びる板状の形状を有し、前記複数の列のうち隣り合う少なくとも１組の列の間に設けられてもよい。
【０００７】
前記加熱部は、前記複数の列の間に少なくとも１つずつ設けられ、前記複数の列のうち隣り合う１組の列の間には、２つの加熱部が設けられ、前記照射部は、前記２つの加熱部の間に設けられてもよい。
【０００８】
前記照射部は、前記赤外線を照射する赤外線ＬＥＤ（light emitting diode）を有してもよい。
【０００９】
前記照射部は、可視光を照射する光源を有してもよい。
【００１０】
前記加熱部は、セラミックで形成され、熱源により加熱されることにより赤外線を放射してもよい。
【発明の効果】
【００１１】
本発明によれば、加熱温度が低い場合でも、毛髪にカールを付けることができるヘアーアイロンを提供することができる。
【図面の簡単な説明】
【００１２】
【図１】ヘアーアイロン１の外観を示す図。
【図２】図１中の矢印Ｉ−Ｉ方向から見たヘアーアイロン１の断面図。
【図３】ヘアーアイロン１の分解図。
【図４】照射部５０の平面図。
【図５】ヘアーアイロン１の使用方法を説明する図。
【図６】変形例に係る照射部５５の平面図。
【発明を実施するための形態】
【００１３】
構成
図１は、本実施形態に係るヘアーアイロン１の外観を示す図である。図２は、図１中の矢印Ｉ−Ｉ方向から見たヘアーアイロン１の断面図である。図３は、ヘアーアイロン１の分解図である。ヘアーアイロン１は、本体１０と、熱源２０と、ヒートプレート３０（筒状部材の一例）と、複数のブラシ部４０と、照射部５０とを備える。なお、図１〜３に示すブラシ部４０の数は例示であり、これに限定されない。ブラシ部４０の数は、図１〜３に例示された数より多くてもよいし、少なくてもよい。
【００１４】
本体１０は、ハンドル部１１と、軸１２と、キャップ１３とを有する。ハンドル部１１は、棒状の形状を有する。ハンドル部１１は、熱不良導体で形成され、使用者の持ち手となる。なお、ハンドル部１１の形状は、使用者が持ちやすい形状であれば、どのような形状であってもよい。
【００１５】
軸１２は、図中の矢印Ｙ方向に延びる筒状の形状を有し、熱良導体により形成される。この場合、軸１２の長さ方向は、図中の矢印Ｙ方向となる。なお、軸１２の横断面は、円形であってもよいし、楕円形であってもよい。軸１２の一端には、図中の矢印Ｙ方向に沿ってハンドル部１１が設けられる。軸１２の他端には、キャップ１３が設けられる。キャップ１３は、熱不良導体で形成され、軸１２の他端を被覆する。
【００１６】
図２に示すように、軸１２の内部には、熱源２０が設けられる。なお、この例では、軸１２の内部は熱良導体により形成されているが、軸１２の内部は中空になっていてもよい。熱源２０は、電力の供給を受けて発熱する。熱源２０としては、例えばニクロム線ヒータやＰＴＣ（Positive Temperature Coefficient）ヒータが用いられてもよい。ただし、熱源２０は、発熱するものであれば、どのようなものが用いられてもよい。熱源２０は、軸１２を介してヒートプレート３０と接触している。熱源２０から発せられた熱は、軸１２を介してヒートプレート３０に伝達される。これにより、ヒートプレート３０が加熱される。
【００１７】
軸１２の周面には、ヒートプレート３０が設けられる。ヒートプレート３０は、軸１２に対応する中空の筒状の形状を有し、軸１２の周面を被覆する。この場合、ヒートプレート３０の長さ方向は、図中の矢印Ｙ方向となる。なお、ヒートプレート３０は、一体形成されてもよいし、複数のパーツを組み合わせて形成されてもよい。ヒートプレート３０は、軸１２の周面に密着するように固定される。なお、ヒートプレート３０を固定する方法は、接着剤を用いる方法やねじ等の締結部材を用いる方法等、どのような方法であってもよい。ヒートプレート３０は、熱良導体により形成される。ヒートプレート３０の素材としては、例えばセラミックが用いられる。ヒートプレート３０は、熱源２０により加熱されることにより発熱して赤外線を放射する。
【００１８】
ヒートプレート３０の周面には、所定の間隔で、図中の矢印Ｙ方向に延びる複数の溝３０ａが形成される。これらの溝３０ａには、複数のブラシ部４０がそれぞれ設けられる。また、複数の溝３０ａのうち、隣り合う１組の溝３０ａの間には、図中の矢印Ｙ方向に延びる溝３０ｂが形成される。溝３０ｂには、照射部５０が設けられる。
【００１９】
ヒートプレート３０の周面のうち、溝３０ａ及び溝３０ｂを除く部分は、複数の加熱部３０ｃとなる。つまり、複数の溝３０ａの間には、少なくとも１つずつ加熱部３０ｃが存在する。また、溝３０ｂを挟んで隣り合う１組の溝３０ａの間には、２つの加熱部３０ｃが存在する。各々の加熱部３０ｃは、図中の矢印Ｙ方向（すなわち、ヒートプレート３０の長さ方向）に延びる板状の形状を有する。これらの加熱部３０ｃは、使用者の毛髪に接触して、毛髪を加熱する。
【００２０】
各々のブラシ部４０は、基部４１と複数のブラシピン４２とを有する。なお、図１〜３に示すブラシピン４２の数は例示であり、これに限定されない。ブラシピン４２の数は、図１〜３に例示された数より多くてもよいし、少なくてもよい。基部４１は、溝３０ａに対応する板状の形状を有する。基部４１は、溝３０ａに挿入され、溝３０ａから抜けないように固定される。なお、基部４１を固定する方法は、接着剤を用いる方法や溝３０ａの開口部に基部４１を押さえる爪部を設ける方法等、どのような方法であってもよい。基部４１は、熱良導体により形成される。基部４１の素材としては、例えば金属が用いられる。
【００２１】
各々のブラシピン４２は、先端が球体の棒状の形状を有する。基部４１の面のうち、溝３０ａの底面と対向する面の反対の面には、複数のブラシピン４２が一列に並べて配置される。これらのブラシピン４２は、基部４１から突出するように設けられる。ブラシピン４２は、熱不伝体により形成される。ブラシピン４２の素材としては、例えばポリエーテルサルフォン（ＰＥＳ）やポリエーテルエーテルケトン（ＰＥＥＫ）等の耐熱性のプラスチックが用いられる。また、金属などのプレートを芯部材として、この芯部材を耐熱性のプラスチックなどでコーティングすることにより、ブラシピン４２が形成されてもよい。
【００２２】
ヒートプレート３０に設けられた状態において、複数のブラシ部４０は、ヒートプレート３０の周方向において複数の加熱部３０ｃにそれぞれ隣り合うように配置される。また、複数のブラシ部４０全体でみると、複数のブラシピン４２は、図中の矢印Ｙ方向（すなわちヒートプレート３０の長さ方向）に延びるように形成された複数の列に沿って配置される。これらのブラシピン４２は、溝３０ａからヒートプレート３０の半径方向に突出する。なお、ブラシピン４２の突出方向は、必ずしもヒートプレート３０の半径方向でなくてもよく、ヒートプレート３０の半径方向からずれていてもよい。
【００２３】
図４は、照射部５０の平面図である。照射部５０は、溝３０ｂに対応する形状であって、図中の矢印Ｙ方向（すなわち、ヒートプレート３０の長さ方向）に延びる板状の形状を有する。照射部５０は、溝３０ｂに挿入されて、溝３０ｂから抜けないように固定される。なお、照射部５０を固定する方法は、接着剤を用いる方法や溝３０ｂの開口部に照射部５０を押さえる爪部を設ける方法等、どのような方法であってもよい。
【００２４】
ヒートプレート３０に設けられた状態において、照射部５０は、隣り合う１組のブラシ部４０の間、すなわち隣り合う１組のブラシピン４２の列の間に配置される。また、図２に示すように、この隣り合う１組のブラシ部４０の間には、２つの加熱部３０ｃが存在する。照射部５０は、これらの加熱部３０ｃの間に配置される。
【００２５】
照射部５０は、電力の供給を受けて、赤外線を照射する複数の光源５１を有する。なお、図４に示す光源５１の数は例示であり、これに限定されない。光源５１の数は、図４に例示された数より多くてもよいし、少なくてもよい。光源５１としては、例えば赤外線ＬＥＤ（light emitting diode）が用いられる。赤外線は、被照射物に熱を与える作用を有する。赤外線としては、例えば遠赤外線（波長が約４．０〜１０００μｍの光）が用いられる。ただし、照射部５０により照射される赤外線は遠赤外線に限定されず、近赤外線（波長が約０．７〜２．０μｍの光）や中赤外線（波長が約２．０〜４．０μｍの光）であってもよい。
【００２６】
図１に戻り、ハンドル部１１の他端には、電源コード１４が設けられる。電源コード１４は、ヘアーアイロン１の各部に電気的に接続されている。また、電源コード１４は、使用者により外部の商用電源に接続される。これにより、外部の商用電源からヘアーアイロン１の各部に電力が供給される。
【００２７】
ハンドル部１１の周面には、電源スイッチ１５及び温度設定ボタン１６が設けられる。電源スイッチ１５は、電源をオン又はオフにする操作に用いられる。電源スイッチ１５がオンになると、外部の商用電源から電源コード１４を介してヘアーアイロン１の各部に電力が供給される。一方、電源スイッチ１５がオフになると、外部の商用電源からヘアーアイロン１の各部への電力の供給が遮断される。
【００２８】
温度設定ボタン１６は、ヒートプレート３０の温度を設定する操作に用いられる。温度設定ボタン１６が押されてヒートプレート３０の温度が設定されると、ヒートプレート３０が設定された温度になるように、熱源２０に供給される電力量が調整される。この電力量の調整は、例えば図示せぬ電気回路により行われる。
【００２９】
ここで、ヒートプレート３０の温度は、予め定められた温度範囲の中から設定される。この温度範囲には、例えば約６０〜１００度が含まれる。また、この温度範囲には、６０度よりも低い温度が含まれてもよい。一般に、ヘアーアイロンの加熱温度としては、例えば約１２０度以上の温度が用いられる。本実施形態では、ヒートプレート３０の温度として、一般的なヘアーアイロンの加熱温度よりも低い温度を設定することができる。
【００３０】
使用方法
図５は、ヘアーアイロン１の使用方法を説明する図である。使用者は、電源スイッチ１５をオンにする。また、使用者は、温度設定ボタン１６を押して、予め定められた温度範囲の中から所望の温度を設定してもよい。例えば、使用者は、約６０〜１００度の温度を設定してもよいし、予め定められた温度範囲に６０度より低い温度が含まれる場合には、６０度より低い温度を設定してもよい。
【００３１】
電源スイッチ１５がオンになると、外部の商用電源から電源コード１４を介して熱源２０及び照射部５０に電力が供給される。熱源２０は、供給された電力を用いて、設定された温度になるまでヒートプレート３０を加熱する。また、照射部５０は、供給された電力を用いて、赤外線を照射する。
【００３２】
使用者は、ハンドル部１１を持って、毛髪をヒートプレート３０の周面に接触させる。そして、使用者は、ヘアーアイロン１を回転させながら毛先に向けて移動させる。このとき、複数のブラシピン４２によって毛髪の流れが整えられる。また、加熱部３０ｃにより毛髪が加熱される。さらに、加熱部３０ｃ及び照射部５０から放射された赤外線により、毛髪に熱が与えられる。これにより、ヒートプレート３０の周面に沿って毛髪がカールされる。
【００３３】
本実施形態では、加熱部３０ｃにより毛髪が加熱されるのに加えて、加熱部３０ｃと照射部５０の両方から毛髪に赤外線が放射される。そのため、照射部５０が設けられていない場合に比べて、毛髪に放射される赤外線の量が増える。毛髪に放射される赤外線の量が増えると、赤外線により毛髪に付与される熱量も増えるため、毛髪にカールを付けやすくなる。したがって、ヒートプレート３０の加熱温度が低い場合でも、毛髪にカールを付けることができる。
【００３４】
変形例
上述した実施形態は、本発明の一例である。この実施形態は、以下のように変形してもよい。また、以下の変形例を組み合わせて実施してもよい。
【００３５】
変形例１
上述した実施形態では、１つの照射部５０が設けられていたが、２つ以上の照射部５０が設けられてもよい。これらの照射部５０は、ヒートプレート３０の周方向に所定の間隔で設けられてもよい。他の例において、これらの照射部５０は、隣り合うブラシ部４０の間に１つずつ設けられてもよいし、１つ置き等、所定の数を置いた間隔で設けられてもよい。
【００３６】
上述した実施形態では、照射部５０は、板状の形状を有していたが、照射部５０の形状はこれに限定されない。例えば照射部５０は、リング形状を有していてもよい。この場合、軸１２の周面には、図中の矢印Ｙ方向に沿って所定の間隔で複数の照射部５０が設けられてもよい。他の例において、照射部５０は、螺旋形状を有していてもよい。この場合、照射部５０は、軸１２の周面に螺旋状に巻き回すように設けられてもよい。
【００３７】
変形例２
上述した実施形態において、照射部５０は、複数の光源５１の少なくとも１に代えて、可視光を照射する光源を有してもよい。
【００３８】
図６は、この変形例に係る照射部５５の平面図である。照射部５５は、複数の光源５１と、複数の光源５２とを有する。光源５２は、電力の供給を受けて、可視光を照射する。この可視光としては、例えば赤い色の光が用いられてもよい。光源５２としては、例えばＬＥＤが用いられてもよい。なお、図６に示す光源５２の数及び位置は例示であり、これに限定されない。光源５２の数は、図６に例示された数より多くてもよいし、少なくてもよい。例えば、光源５２は、１つだけ設けられてもよい。また、光源５２の位置は、図６に例示された位置と異なる位置であってもよい。例えば、光源５２は、照射部５５の中央部にだけ設けられてもよいし、照射部５５の両端部又は一方の端部にだけ設けられてもよい。この変形例によれば、照射部５５が光るため、赤外線が照射されていることをユーザに認識させることができる。
【００３９】
変形例３
上述した実施形態では、ブラシ部４０及び照射部５０がヒートプレート３０の周面に設けられていたが、ブラシ部４０及び照射部５０が軸１２（筒状部材の一例）の周面に設けられてもよい。例えば、軸１２の周面に、実施形態で説明した複数の溝３０ａ及び溝３０ｂと同様の複数の溝が形成され、この溝にブラシ部４０及び照射部５０が設けられてもよい。他の例として、軸１２に複数の孔が設けられ、複数のブラシピン４２が複数の孔に１つずつ挿入され、孔から抜けないように固定されてもよい。この場合、基部４１を設ける必要はない。また、この変形例では、軸１２の周面には、ヒートプレート３０に代えて加熱部３０ｃだけが設けられてもよい。この場合、加熱部３０ｃは、軸１２の周面において、ブラシ部４０及び照射部５０が設けられていない部分に設けられてもよい。
【００４０】
変形例４
上述した実施形態において、照射部５０は、ヒートプレート３０の温度に応じて、照射量を変更してもよい。この場合、ヒートプレート３０の温度を測定するセンターが設けられる。例えば照射部５０は、センサーにより測定された温度が閾値より低い場合には、照射量を増やしてもよい。
【００４１】
変形例５
加熱部３０ｃ及び照射部５０の設置位置は、実施形態で説明した設置位置に限定されない。加熱部３０ｃは、毛髪に接触して毛髪を加熱できる位置であれば、どのような位置に設置されてもよい。照射部５０は、毛髪に赤外線を照射できる位置であれば、どのような位置に設置されてもよい。
【００４２】
変形例６
図１〜３に示す軸１２及びヒートプレート３０の形状は例示であり、これに限定されない。軸１２及びヒートプレート３０は、それぞれ筒状の形状を有していればよい。この筒状の形状には、横断面が円形のものだけでなく、横断面が楕円形のものや四角形のものも含まれる。つまり、筒状の形状には、円筒形状だけでなく、角筒形状も含まれる。
【符号の説明】
【００４３】
１：ヘアーアイロン、１０：本体、１１：ハンドル部、１２：軸、１３：キャップ、２０：熱源、３０：ヒートプレート、３０ａ，３０ｂ：溝、３０ｃ：加熱部、４０：ブラシ部、４１：基部、４２：ブラシピン、５０，５５：照射部、５１，５２：光源
【図１】
2018029815.tif 000003
【図２】
2018029815.tif 000004
【図３】
2018029815.tif 000005
【図４】
2018029815.tif 000006
【図５】
2018029815.tif 000007
【図６】
2018029815.tif 000008